(57)【要約】 【課題】サブアンテナ用の部材を別途必要とすることなく、ダイバーシチアンテナ技術を利用可能にすると共に、サブアンテナを配置するための特別な空間の確保を不要にすることが可能な携帯無線機を提供する。【解決手段】  本携帯無線機は、第１の端末１０の筐体（第１筐体）と第２の端末２０の筐体（第２筐体）とが着脱自在に構成された携帯無線機１００であって、第１筐体に配設された第１のアンテナ１１と、第１筐体に配設され、第１のアンテナ１１に接続された第１の通信モジュール１２と、第２筐体に配設された第２のアンテナ２１と、第２筐体に配設され、第２のアンテナ２１に接続された第２の通信モジュール２２と、第１筐体に第２筐体が装着されたことを検出する装着検出部２４と、装着検出部２４により第１筐体に第２筐体が装着されたことが検出されたとき、第２のアンテナ２１と第１の通信モジュール１２とを接続するよう切り替える第１の信号切替部２３と、を備える。【選択図】図１
2011114840.tif 000002
【特許請求の範囲】
【請求項１】
第１筐体と第２筐体とが着脱自在に構成された携帯無線機であって、
前記第１筐体に配設された第１のアンテナと、
前記第１筐体に配設され、前記第１のアンテナに接続された第１の通信モジュールと、
前記第２筐体に配設された第２のアンテナと、
前記第２筐体に配設され、前記第２のアンテナに接続された第２の通信モジュールと、
前記第１筐体に前記第２筐体が装着されたことを検出する装着検出部と、
前記装着検出部により前記第１筐体に前記第２筐体が装着されたことが検出されたとき、前記第２のアンテナと第１の通信モジュールとを接続するよう切り替える第１の信号切替部と、
を備える携帯無線機。
【請求項２】
請求項１に記載の携帯無線機であって、更に、
前記第１筐体に配設された第１の表示部と、
前記第２筐体に配設され、前記第１の表示部よりも小さい第２の表示部と、
を備え、
前記第１の通信モジュールは、フルセグメントチューナを有し、
前記第２の通信モジュールは、１セグメントチューナを有する携帯無線機。
【請求項３】
請求項１に記載の携帯無線機であって、
前記第１の通信モジュールは、フルセグメント及び１セグメントの共用チューナを有し、
前記共用チューナによる受信感度に応じて、前記フルセグメントチューナによる受信及び前記１セグメントチューナによる受信を切り替えるチューナ切替部を備える携帯無線機。
【請求項４】
請求項１に記載の携帯無線機であって、更に、
前記第１の通信モジュールと前記第２の通信モジュールとの間に配設された容量結合部と、
前記装着検出部により前記第１筐体に前記第２筐体が装着されたことが検出されたとき、前記第１の通信モジュールと前記第２の通信モジュールとを前記容量結合部を介して有線接続するよう切り替える第２の信号切替部と、
を備える携帯無線機。
【請求項５】
請求項４に記載の携帯無線機であって、
前記第１のアンテナは、無線ＬＡＮ及びＢｌｕｅｔｏｏｔｈの共用アンテナであり、
前記第２のアンテナは、Ｂｌｕｅｔｏｏｔｈアンテナであり、
前記第１の通信モジュールは、無線ＬＡＮ及びＢｌｕｅｔｏｏｔｈの共用モジュールを有し、
前記第２の通信モジュールは、Ｂｌｕｅｔｏｏｔｈモジュールを有する携帯無線機。
【発明の詳細な説明】
【技術分野】
【０００１】
本発明は、第１筐体と第２筐体とが着脱自在に構成された携帯無線機に関する。
【背景技術】
【０００２】
従来、様々な無線装置において、電波の受信感度や受信品質の改善等のために、複数のアンテナを同時に利用するダイバーシチ技術が利用されている。また、小型化が不可欠な携帯無線機においては、複数のアンテナを利用可能にするために様々な工夫が提案されている。
【０００３】
例えば、携帯情報端末において、導電性の情報入力用ペンを本体収納時にダイバーシチ用サブアンテナとして使用する構成が開示されている（例えば、特許文献１参照）。また、無線通信機において外部イヤホンアンテナ装着時に、内蔵アンテナと外部イヤホンアンテナとを組み合わせてダイバーシチ動作させ、感度の向上及び広帯域化を可能にする技術が提案されている（例えば、特許文献２参照）。また、薄型のテレビ放送受像機において、薄さを損なわないように２つの開口導波管アンテナを配置してダイバーシチ動作させること提案されている（例えば、特許文献３参照）。
【先行技術文献】
【特許文献】
【０００４】
【特許文献１】特開平１１−１９１７５１号公報
【特許文献２】特開２００４−３６４１４９号公報
【特許文献３】特開２００８−１３６２１９号公報
【発明の概要】
【発明が解決しようとする課題】
【０００５】
ダイバーシチ技術を利用するためには、同時に使用可能な複数のアンテナを１つの装置に搭載する必要がある。しかし、携帯無線機は小型化が不可欠であるため、複数のアンテナを配置するための空間を確保するのが難しく、筐体等の小型化の妨げになる。そのため、サブアンテナとして特許文献１のように情報入力用ペンを利用したり、特許文献２のように外部イヤホンアンテナを利用したりすることが試みられている。
【０００６】
しかしながら、特許文献１の技術は情報入力用ペンが付属されていなければ採用できないし、特許文献２の技術は外部イヤホンアンテナが付属されていなければ採用できない。また、特許文献１の技術においては、情報入力用ペンを装置本体に収納するためには、それを収納するための空間を確保しなければならず、筐体等の小型化の妨げになる。また、特許文献２の技術において、外部イヤホンアンテナを利用する場合には、このアンテナが装置本体と一体化されていないため、取り扱いが不便であり、イヤホンコードの取り回し状態の違いに応じてダイバーシチアンテナの特性が大きく変化してしまうことがある。
【０００７】
本発明は、上記事情に鑑みてなされたものであって、サブアンテナ用の部材を別途必要とすることなく、ダイバーシチアンテナ技術を利用可能にすると共に、サブアンテナを配置するための特別な空間の確保を不要にすることが可能な携帯無線機を提供することを目的とする。
【課題を解決するための手段】
【０００８】
本発明の携帯無線機は、第１筐体と第２筐体とが着脱自在に構成された携帯無線機であって、前記第１筐体に配設された第１のアンテナと、前記第１筐体に配設され、前記第１のアンテナに接続された第１の通信モジュールと、前記第２筐体に配設された第２のアンテナと、前記第２筐体に配設され、前記第２のアンテナに接続された第２の通信モジュールと、前記第１筐体に前記第２筐体が装着されたことを検出する装着検出部と、前記装着検出部により前記第１筐体に前記第２筐体が装着されたことが検出されたとき、前記第２のアンテナと第１の通信モジュールとを接続するよう切り替える第１の信号切替部と、を備える。
【０００９】
この構成によれば、第１筐体に第２筐体が装着されると、この状態を装着検出部が検出し、第１の信号切替部が前記第２のアンテナと第１の通信モジュールとを接続するよう切り替える。従って、前記第１の通信モジュールのアンテナ入力には、第１のアンテナと第２のアンテナとの両方が接続されることになり、これらをダイバーシチアンテナとして使用できる。つまり、第１筐体がサブアンテナを搭載していなくても、第１筐体に第２筐体を装着して使用する時には、ダイバーシチ技術を利用できる。
【００１０】
また、本発明の携帯無線機は、前記第１筐体に配設された第１の表示部と、前記第２筐体に配設され、前記第１の表示部よりも小さい第２の表示部とを備え、前記第１の通信モジュールが、フルセグメントチューナを有し、前記第２の通信モジュールは、１セグメントチューナを有する。
【００１１】
この構成によれば、フルセグメントチューナを有する第１筐体が備える第１のアンテナだけでは高い受信品質が得られない場合であっても、第１筐体に第２筐体が装着された状態で、前記第１のアンテナと前記第２のアンテナとをダイバーシチアンテナとして使用することにより受信品質が改善されるので、フルセグメントの画像等を高品質で受信可能になる。
【００１２】
また、本発明の携帯無線機は、前記第１の通信モジュールが、フルセグメント及び１セグメントの共用チューナを有し、前記共用チューナによる受信感度に応じて、前記フルセグメントチューナによる受信及び前記１セグメントチューナによる受信を切り替えるチューナ切替部を備える。
【００１３】
この構成によれば、受信環境に適した好ましい受信品質が得られる。例えば、強電界地域では高い受信品質が得られるので、共用チューナがフルセグメント受信を行うよう切り替えて解像度の高い画像を高品質で受信し、弱電界地域では受信品質が低下するので、共用チューナが１セグメント受信を行うよう切り替えて解像度の低い画像を受信することができる。
【００１４】
また、本発明の携帯無線機は、前記第１の通信モジュールと前記第２の通信モジュールとの間に配設された容量結合部と、前記装着検出部により前記第１筐体に前記第２筐体が装着されたことが検出されたとき、前記第１の通信モジュールと前記第２の通信モジュールとを前記容量結合部を介して有線接続するよう切り替える第２の信号切替部と、を備える。
【００１５】
この構成によれば、第１筐体に第２筐体が装着された状態では、アンテナのダイバーシチ技術を利用できるだけでなく、第１の通信モジュールと第２の通信モジュールとの間で有線でのモジュール間通信が可能になる。更に、第２の通信モジュールが第１のアンテナを利用して外部装置との間で無線通信することが可能になる。
【００１６】
また、本発明の携帯無線機は、前記第１のアンテナが、無線ＬＡＮ及びＢｌｕｅｔｏｏｔｈの共用アンテナであり、前記第２のアンテナが、Ｂｌｕｅｔｏｏｔｈアンテナであり、前記第１の通信モジュールが、無線ＬＡＮ及びＢｌｕｅｔｏｏｔｈの共用モジュールを有し、前記第２の通信モジュールが、Ｂｌｕｅｔｏｏｔｈモジュールを有する。
【００１７】
この構成によれば、第１筐体に第２筐体が装着された状態で、第１の通信モジュールが、第１のアンテナと第２のアンテナとをダイバーシチアンテナとして利用し、無線ＬＡＮ通信を行うことができる。また、前記第１の通信モジュールと前記第２の通信モジュールとの間で有線でのモジュール間通信が可能になる。更に、第１の通信モジュールが無線ＬＡＮ通信を行わない時には、第２の通信モジュールが第１のアンテナを利用して外部装置との間でＢｌｕｅｔｏｏｔｈ通信することができる。
【発明の効果】
【００１８】
本発明によれば、サブアンテナ用の部材を別途必要とすることなく、ダイバーシチアンテナ技術を利用可能であり、サブアンテナを配置するための特別な空間の確保が不要にすることが可能である。
【図面の簡単な説明】
【００１９】
【図１】本発明の実施形態における携帯無線機の構成の一例を示すブロック図
【図２】本発明の実施形態における携帯無線機の変形例１の構成を示すブロック図
【図３】図２に示した携帯無線機の子機単独での構成を示すブロック図
【図４】本発明の実施形態における携帯無線機の変形例２の構成を示すブロック図
【図５】本発明の実施形態における携帯無線機の変形例３の構成を示すブロック図
【発明を実施するための形態】
【００２０】
以下、本発明の実施形態について、図面を参照しながら説明する。
【００２１】
まず、本発明の携帯無線機に関する基本的な構成について、図１を参照しながら説明する。
【００２２】
図１に示した携帯無線機１００は、第１の端末１０と第２の端末２０とを有して構成されている。携帯無線機１００としては、携帯型情報端末（ＰＤＡ）、携帯型テレビ受像機、携帯電話端末などが想定される。図１においては、第１の端末１０に第２の端末２０が装着された状態を表しているが、これらは互いに分離してそれぞれ独立に動作することが可能な端末である。また、図１に示すように、第１の端末１０に第２の端末２０が装着できるように、装着部３０が設けてある。
【００２３】
すなわち、図１に示す例では、第１の端末１０の筐体の一部分に、第２の端末２０の大きさや形状に合わせた凹部が装着部３０として形成してあるので、この凹部に第２の端末２０を配置して固定し、これらを一体化するように第１の端末１０に第２の端末２０を装着することができる。また、装着状態を解除することにより、第２の端末２０を第１の端末１０から脱離することもできる。つまり、第２の端末２０の筐体（第２筐体）は第１の端末１０の筐体（第１筐体）に対して着脱自在に構成されており、第１の端末１０及び第２の端末２０は単体で使用することも可能であるし、装着状態で使用することも可能である。また、装着状態では、第１の端末１０側に設けた接点１４と第２の端末２０側に設けた接点２５とが対向し、これらの間が電気的に導通状態になる。
【００２４】
第１の端末１０は、第１のアンテナ１１、第１のアンテナ１１に接続された第１の通信モジュール１２、を備えている。第１の通信モジュール１２は、無線通信の送信及び受信の少なくとも一方の機能を搭載しており、第１のアンテナ１１を利用して電波の送信及び／又は受信を行うことができる。また、第１の通信モジュール１２は、アンテナのダイバーシチ動作を可能にする機能を搭載しており、複数のアンテナとそれぞれ接続するために２つのアンテナ端子１２ａ、１２ｂを備えている。一方のアンテナ端子１２ａは第１のアンテナ１１と接続されており、もう一方のアンテナ端子１２ｂは接点１４と接続されている。
【００２５】
一方、図１に示した第２の端末２０は、第２のアンテナ２１、第２の通信モジュール２２、第１の信号切替部２３、装着検出部２４、を備えている。第２の通信モジュール２２は、無線通信の送信及び受信の少なくとも一方の機能を搭載しており、第２のアンテナ２１を利用して電波の送信及び／又は受信を行うことができる。
【００２６】
第２の通信モジュール２２のアンテナ端子は、第１の信号切替部２３を経由して第２のアンテナ２１と接続される。第１の信号切替部２３は、装着検出部２４の制御により切り替え可能なスイッチ回路であり、制御入力の他に端子２３ａ、２３ｂ、２３ｃを有している。第１の信号切替部２３の端子２３ｃは第２のアンテナ２１と接続され、端子２３ａは第２の通信モジュール２２のアンテナ端子と接続され、端子２３ｂは接点２５と接続されている。そして、第１の信号切替部２３は、端子２３ｃの接続先を端子２３ａと端子２３ｂとのいずれか一方に選択的に切り替えることができる。
【００２７】
装着検出部２４は、第２の端末２０が第１の端末１０に装着されているか否かを検出し、その結果に応じた二値信号を第１の信号切替部２３に与える。具体例として、図１に示した装着検出部２４は、ホール素子を内蔵している。また、第１の端末１０側には、図１に示すように、第２の端末２０が装着された状態で装着検出部２４と対向する位置に永久磁石１３が設置してある。従って、ホール素子を内蔵した装着検出部２４は、磁気の検出状態により、第２の端末２０が第１の端末１０に装着されているか否かを識別できる。
【００２８】
なお、装着検出部２４は第２の端末２０が第１の端末１０に装着されたかどうかを検出できればよいので、装着検出部２４をホール素子以外の手段で置き換えることもできる。例えば、機械的なスイッチを用いて第１の端末１０の筐体と第２の端末２０の筐体との接近状態あるいは接触状態を検出することもできる。また、例えば第１の端末１０と第２の端末２０にコネクタのオス／メスを設けて第２の端末２０が第１の端末１０に装着された時にコネクタのオス／メス同士が係合するように構成し、これらのコネクタの接続状態を電気信号として検出してもよい。
【００２９】
第１の信号切替部２３は、装着検出部２４が出力する制御信号に従って、第２の端末２０が第１の端末１０から分離している状態では、端子２３ｃと端子２３ａとを接続し、第２の端末２０が第１の端末１０に装着されている状態では、端子２３ｃと端子２３ｂとを接続する。
【００３０】
つまり、第２の端末２０が第１の端末１０から分離している状態では、第２のアンテナ２１が第１の信号切替部２３の端子２３ｃ、２３ａを介して第２の通信モジュール２２のアンテナ端子と接続されるので、第２の通信モジュール２２は第２のアンテナ２１を用いて無線通信（送信及び／又は受信）を行うことができる。
【００３１】
一方、第２の端末２０が第１の端末１０に装着された状態では、第２のアンテナ２１と第２の通信モジュール２２との接続は切り離され、第２のアンテナ２１が端子２３ｃ、端子２３ｂ、接点２５、接点１４を経由して第１の端末１０側の第１の通信モジュール１２のアンテナ端子１２ｂと接続される。この状態で、第１の通信モジュール１２は、アンテナ端子１２ａに接続された第１のアンテナ１１とアンテナ端子１２ｂに接続された第２のアンテナ２１との両方を同時に使用してダイバーシチ動作を行うことができる。
【００３２】
ダイバーシチ動作を行うことにより、第１の通信モジュール１２は無線信号の受信感度を改善したり通信の品質（ＣＮ比（Carrier to Noise ratio）など）を向上したりすることができる。しかも、図１に示す構成では、第１の端末１０自体には第１のアンテナ１１だけを搭載すればよい。つまり、特別なサブアンテナを第１の端末１０に搭載する必要がないため、第１の端末１０の筐体にサブアンテナの配置スペースを確保する必要がなく、筐体等の小型化が可能になる。
【００３３】
（変形例１）
図１に示した携帯無線機の変形例１が図２、図３に示されている。この変形例１について以下に説明する。
【００３４】
この変形例１の携帯無線機１００Ｂは、図２に示す第１の端末１０Ｂと第２の端末２０Ｂとを有して構成されている。第１の端末１０Ｂに第２の端末２０Ｂが装着された状態が図２に示されており、第２の端末２０Ｂ単独の構成が図３に示されている。なお、図２、図３において、図１中に示した構成と対応する要素については、同一の符号を付し、説明を省略又は簡略化する。
【００３５】
図２に示す携帯無線機１００Ｂについても、図１の携帯無線機１００と同様に、第２の端末２０Ｂの筐体は第１の端末１０Ｂの筐体に対して着脱可能に構成してある。変形例１においては、第１の端末１０Ｂと第２の端末２０Ｂとは、親機／子機の関係にある。すなわち、親機である第１の端末１０Ｂは子機である第２の端末２０Ｂと比べて、機能や性能が上位にあり、筐体等の大きさも第１の端末１０Ｂの方が大きい。
【００３６】
具体的には、第１の端末１０Ｂ、第２の端末２０Ｂは、いずれもデジタルテレビ放送をユーザが視聴するための受信機能や表示機能を搭載している。但し、第１の端末１０Ｂは、高解像度のテレビ画像情報を受信して、サイズが大きくかつ解像度も高い画面上に表示する性能を有している。一方、第２の端末２０Ｂは、比較的解像度の低いテレビ画像情報を受信して、サイズが小さくかつ解像度も低い画面上に表示する性能を有している。
【００３７】
図２に示すように、第１の端末１０Ｂは前述の第１の通信モジュール１２として、フルセグメントチューナ１２Ｂを搭載している。デジタルテレビ放送ではそれぞれのチャネル内が複数（１３個）のセグメントに区分され、セグメント毎に分割された情報が放送されており、１３セグメントの全て（フルセグメント）を受信することにより、放送されている全ての情報を受信し、解像度の高い画像を表示することができる。フルセグメントチューナ１２Ｂは、１３セグメントの全てを受信する機能を有しているので、高解像度のテレビ放送を表示できる。
【００３８】
また、フルセグメントチューナ１２Ｂは、１３セグメントの中から、受信対象のセグメントを選別したり受信するセグメント数を減らしたりする機能を搭載してもよい。この場合、テレビ放送電波の強電界地域では、簡易なアンテナを用いるだけでも十分な信号レベルで放送電波を受信できるので、フルセグメントの情報を受信して高解像度の画像を視聴するのに必要かつ十分なＣＮ比を得ることができる。一方、弱電界地域では、受信できる信号レベルが小さくなるので、フルセグメントの情報の視聴に必要なＣＮ比が得られなくなる。しかし、ワンセグ放送として用意されている特定の１セグメントだけを受信する場合には、小さいＣＮ比であっても受信エラーを生じることなく放送を受信することができる。つまり、フルセグメントチューナ１２Ｂは、フルセグメントチューナ及び１セグメントチューナの共用チューナとして機能することができる。
【００３９】
図２に示すように、フルセグメントチューナ１２Ｂには、チューナ切替部１７が搭載されている。また、フルセグメントチューナ１２Ｂは、基本的な機能として、受信チャネルの選択、選択したチャネルの放送信号の受信、受信信号の復号、画像処理の各機能を有している。
【００４０】
チューナ切替部１７は、フルセグメントチューナ１２Ｂに入力された受信信号のレベルあるいは受信信号のＣＮ比を監視し、受信感度に応じて、フルセグメントの受信と１セグメントの受信とを切り替えるように、フルセグメントチューナ１２Ｂを制御する。すなわち、弱電界地域などで単一のアンテナ（第１のアンテナ１１）だけを使用している場合のように、受信感度が低い（例えば受信信号レベルが低い、ＣＮ比が小さい、ＢＥＲが悪い）場合には１セグメントの受信に切り替え、強電界地域でなくてもダイバーシチアンテナを使用している場合や強電界地域にいる場合のように、受信感度が高い（例えば受信信号レベルが高い、ＣＮ比が大きい）場合にはフルセグメントの受信に切り替える。
【００４１】
図２に示すように、フルセグメントチューナ１２Ｂの一方のアンテナ端子１２ａは、整合部１５を経由して第１のアンテナ１１と接続されている。フルセグメントチューナ１２Ｂのもう一方のアンテナ端子１２ｂは、第２の端末２０Ｂが第１の端末１０Ｂに装着されている時に、第１の信号切替部２３及び整合部２６を介して第２のアンテナ２１と接続される。
【００４２】
また、図２に示すように、第１の端末１０Ｂは第１の表示部１６を備える。この第１の表示部１６は、比較的サイズが大きく解像度も高い高性能の表示機能を有している。なお、第１の表示部１６は例えば液晶表示装置である。第１の表示部１６は、フルセグメントチューナ１２Ｂの受信により得られたテレビ放送の番組コンテンツ（動画像や音声を含む情報）をフルセグメントチューナ１２Ｂの出力から入力し、その画像を画面に表示する。
【００４３】
一方、図２、図３に示すように、第２の端末２０Ｂには、前述の第２の通信モジュール２２として、１セグメント（ワンセグ）チューナ２２Ｂが搭載されている。この１セグメントチューナ２２Ｂは、デジタルテレビ放送の各チャネルに含まれている１３セグメントの中で、ワンセグ放送として用意されている特定の１セグメントだけを受信する機能を有している。また、１セグメントチューナ２２Ｂは、基本的な機能として、受信チャネルの選択、選択したチャネルの放送信号の受信、受信信号の復号、画像処理の各機能を有している。
【００４４】
図２、図３に示すように、第２の端末２０Ｂは第２の表示部２７を備える。第２の表示部２７は、前述の第１の表示部１６と比べて比較的サイズが小さく解像度も低い低性能の表示機能を有している。すなわち、第２の端末２０Ｂは子機なので携帯に便利な小型の筐体に収納できるように構成されており、簡易的な表示機能だけを提供する。従って、解像度の低いワンセグ放送だけを受信対象とする１セグメントチューナ２２Ｂを搭載している。なお、第２の表示部２７は例えば液晶表示装置である。
【００４５】
第２の表示部２７は、１セグメントチューナ２２Ｂの受信により得られたテレビ放送の番組コンテンツ（動画像や音声を含む情報）を１セグメントチューナ２２Ｂの出力から入力し、その画像を画面に表示する。上記以外の構成や動作については、図１に示した携帯無線機１００と同様である。
【００４６】
変形例１の携帯無線機１００Ｂによれば、第１の端末１０Ｂに第２の端末２０Ｂに装着された状態で使用する場合には、フルセグメントチューナ１２Ｂが第２の端末２０Ｂ側の第２のアンテナ２１を利用するため、第１のアンテナ１１及び第２のアンテナ１２でダイバーシチアンテナを構成できるので、デジタルテレビ放送の受信感度や受信品質を改善することが可能になる。つまり、特別なサブアンテナを収容するための空間を第１の端末１０Ｂの筐体内に確保しておかなくてもダイバーシチ受信が可能であり、第１の端末１０Ｂの小型化が可能になる。さらに、受信状態の変化に応じて、フルセグメントの受信と１セグメントの受信とをチューナ切替部１７が切り替え可能であるので、第１の端末１０Ｂでは、ユーザが特別な切り替え操作を行わなくても、高品質の受信ができる状況の時にはフルセグメントの受信が実行され、高品質の受信ができない時には１セグメントの受信が実行される。
【００４７】
（変形例２）
図１に示した携帯無線機の変形例２が図４に示されている。この変形例２について以下に説明する。
この変形例２の携帯無線機１００Ｃは、図４に示す第１の端末１０Ｃと第２の端末２０Ｃとを有して構成されている。第１の端末１０Ｃに第２の端末２０Ｃが装着された状態が図４に示されている。なお、図４において、図１中に示した構成と対応する要素については、同一の符号を付し、説明を省略又は簡略化する。
【００４８】
図４に示す携帯無線機１００Ｃについても、図１の携帯無線機１００と同様に、第２の端末２０Ｃの筐体は第１の端末１０Ｃの筐体に対して着脱可能に構成してある。図４に示すように、第１の端末１０Ｃは、第１のアンテナ１１と第１の通信モジュール１２Ｃとを備えている。また、第１の通信モジュール１２Ｃは、相手装置との通信ができるように送信機能と受信機能との双方を有している。
【００４９】
一方、図４に示すように、第２の端末２０Ｃは、第２のアンテナ２１、第２の通信モジュール２２Ｃ、第１の信号切替部２３、装着検出部２４、第２の信号切替部２８を搭載している。第２の通信モジュール２２Ｃは、相手装置との通信ができるように送信機能と受信機能との双方を有している。また、第２の信号切替部２８は、第１の信号切替部２３と同様に装着検出部２４の制御により切り替え可能なスイッチ回路であり、制御入力の他に端子２８ａ、２８ｂ、２８ｃを有している。
【００５０】
図４に示す第２の端末２０Ｃにおいては、第２のアンテナ２１は、第１の信号切替部２３、第２の信号切替部２８を経由して第２の通信モジュール２２Ｃのアンテナ端子と接続される。但し、図４に示すように、第２の端末２０Ｃが第１の端末１０Ｃに装着された状態では、装着検出部２４の出力する制御信号によって第１の信号切替部２３、第２の信号切替部２８の接続状態が切り替わるので、第２のアンテナ２１と第２の通信モジュール２２Ｃのアンテナ端子との接続は遮断され、代わりに次のように接続される。すなわち、第２のアンテナ２１は、第１の信号切替部２３の端子２３ｂを経由して第１の通信モジュール１２Ｃのアンテナ端子１２ｂと接続される。同時に、第２の通信モジュール２２Ｃのアンテナ端子は、第２の信号切替部２８の端子２８ｃ、２８ｂ、容量結合部１８を経由して第１の通信モジュール１２Ｃのアンテナ端子１２ａ及び第１のアンテナ１１と接続される。
【００５１】
容量結合部１８は、高周波信号が通過するのに支障がない程度の非常に静電容量が小さいコンデンサのような構成要素である。これにより、第１の端末１０Ｃに第２の端末２０Ｃが装着された時にこれらの間を物理的に接続しなくても、第１の通信モジュール１２Ｃと第２の通信モジュール２２Ｃとの間の電気接続経路を確保できる。
【００５２】
従って、図４に示した携帯無線機１００Ｃにおいては、第２の端末２０Ｃが第１の端末１０Ｃに装着された状態で、第１の通信モジュール１２Ｃは、第１のアンテナ１１、第２のアンテナ２１の両者を用いてダイバーシチ受信を行うことができ、良好な無線通信状態を確保できる。更に、第２の端末２０Ｃが第１の端末１０Ｃに装着された状態では、第１の通信モジュール１２Ｃと第２の通信モジュール２２Ｃとが相互に接続されるので、これらの間で有線通信を相互に行うこともできる。また、第１の通信モジュール１２Ｃが第１のアンテナ１１を使用していない時には、第２の通信モジュール２２Ｃが第１のアンテナ１１を使用して、外部の装置との間で無線通信することもできる。
なお、図４では、容量結合部１８について示しているが、高周波信号が通過するのに支障がない程度の高インピーダンスの抵抗についても同様な効果が得られる。
【００５３】
（変形例３）
図４に示した携帯無線機の変形例３が図５に示されている。この変形例３について以下に説明する。
【００５４】
この変形例３の携帯無線機１００Ｄは、図５に示す第１の端末１０Ｄと第２の端末２０Ｄとを有して構成されている。第１の端末１０Ｄに第２の端末２０Ｄが装着された状態が図５に示されている。なお、図５において、図４中に示した構成と対応する要素については、同一の符号を付し、説明を省略又は簡略化する。
【００５５】
図５に示す携帯無線機１００Ｄについても、図１の携帯無線機１００と同様に、第２の端末２０Ｄの筐体は第１の端末１０Ｄの筐体に対して着脱可能に構成してある。図５に示す携帯無線機１００Ｄにおいては、第１の端末１０Ｄに第１のアンテナ１１として無線ＬＡＮ／Ｂｌｕｅｔｏｏｔｈ（登録商標）の共用アンテナ１１Ｄが搭載され、第１の通信モジュール１２として無線ＬＡＮ／Ｂｌｕｅｔｏｏｔｈの共用モジュール１２Ｄが搭載されている。また、第２の端末２０Ｄには第２のアンテナ２１としてＢｌｕｅｔｏｏｔｈアンテナ２１Ｄが搭載され、第２の通信モジュール２２としてＢｌｕｅｔｏｏｔｈモジュール２２Ｄが搭載されている。
【００５６】
共用アンテナ１１Ｄは、無線ＬＡＮの規格に適合する周波数帯の電波の送受信と、Ｂｌｕｅｔｏｏｔｈの規格に適合する周波数帯の電波の送受信のいずれにも利用可能なアンテナの機能を有している。また、共用モジュール１２Ｄは、無線ＬＡＮの規格に適合する信号を送受信する機能と、Ｂｌｕｅｔｏｏｔｈの規格に適合する信号を送受信する機能との双方を有し、これらの機能を選択的に利用可能になっている。Ｂｌｕｅｔｏｏｔｈアンテナ２１Ｄは、Ｂｌｕｅｔｏｏｔｈの規格に適合する周波数帯の電波の送受信に利用可能なアンテナの機能を有している。Ｂｌｕｅｔｏｏｔｈモジュール２２Ｄは、Ｂｌｕｅｔｏｏｔｈの規格に適合する信号を送受信する機能を有している。
【００５７】
携帯無線機１００Ｄの第２の端末２０Ｄにおいては、Ｂｌｕｅｔｏｏｔｈアンテナ２１ＤとＢｌｕｅｔｏｏｔｈモジュール２２Ｄのアンテナ端子との間が、第１の信号切替部２３、第２の信号切替部２８を経由して接続される。但し、図５に示すように、第２の端末２０Ｄが第１の端末１０Ｄに装着された状態では、装着検出部２４の出力する制御信号によって第１の信号切替部２３、第２の信号切替部２８の接続状態が切り替わるので、Ｂｌｕｅｔｏｏｔｈアンテナ２１ＤとＢｌｕｅｔｏｏｔｈモジュール２２Ｄのアンテナ端子との接続は遮断され、代わりに次のように接続される。
【００５８】
すなわち、Ｂｌｕｅｔｏｏｔｈアンテナ２１Ｄは、第１の信号切替部２３の端子２３ｂを経由して無線ＬＡＮ／Ｂｌｕｅｔｏｏｔｈの共用モジュール１２Ｄのアンテナ端子１２ｂと接続される。同時に、Ｂｌｕｅｔｏｏｔｈモジュール２２Ｄのアンテナ端子は、第２の信号切替部２８の端子２８ｃ、２８ｂ、容量結合部１８を経由して無線ＬＡＮ／Ｂｌｕｅｔｏｏｔｈの共用モジュール１２Ｄのアンテナ端子１２ａ及び無線ＬＡＮ／Ｂｌｕｅｔｏｏｔｈの共用アンテナ１１Ｄと接続される。
【００５９】
従って、図５に示した携帯無線機１００Ｄにおいては、第２の端末２０Ｃが第１の端末１０Ｃに装着された状態で、無線ＬＡＮ／Ｂｌｕｅｔｏｏｔｈの共用モジュール１２Ｄは無線ＬＡＮ／Ｂｌｕｅｔｏｏｔｈの共用アンテナ１１Ｄ、Ｂｌｕｅｔｏｏｔｈアンテナ２１Ｄの両者を用いてダイバーシチ受信を行うことができ、良好な無線通信状態で無線ＬＡＮの無線通信又はＢｌｕｅｔｏｏｔｈの無線通信を行うことができる。更に、第２の端末２０Ｃが第１の端末１０Ｃに装着された状態では、無線ＬＡＮ／Ｂｌｕｅｔｏｏｔｈの共用モジュール１２ＤとＢｌｕｅｔｏｏｔｈモジュール２２Ｄとが相互に接続されるので、これらの間で有線通信を相互に行うこともできる。また、無線ＬＡＮ／Ｂｌｕｅｔｏｏｔｈの共用モジュール１２Ｄが無線ＬＡＮ／Ｂｌｕｅｔｏｏｔｈの共用アンテナ１１Ｄを使用していない時には、Ｂｌｕｅｔｏｏｔｈモジュール２２Ｄが無線ＬＡＮ／Ｂｌｕｅｔｏｏｔｈの共用アンテナ１１Ｄを使用して、外部の装置との間でＢｌｕｅｔｏｏｔｈの無線通信をすることもできる。
【００６０】
なお、Ｂｌｕｅｔｏｏｔｈモジュール２２Ｄの外部装置との無線通信と、無線ＬＡＮ／Ｂｌｕｅｔｏｏｔｈの共用モジュール１２Ｄの外部装置との無線通信とが干渉するのを避ける必要がある。そのため、共用モジュール１２Ｄは、同一時間及び同一周波数帯域で電波の干渉が生じないように、時分割多重制御もしくは周波数分割多重制御の機能を有する。
【産業上の利用可能性】
【００６１】
本発明は、サブアンテナ用の部材を別途必要とすることなく、ダイバーシチアンテナ技術を利用可能にすると共に、サブアンテナを配置するための特別な空間の確保を不要にすることが可能な携帯無線機等に有用である。
【符号の説明】
【００６２】
１００、１００Ｂ、１００Ｃ  携帯無線機
１０  第１の端末
１１  第１のアンテナ
１１Ｄ  無線ＬＡＮ／Ｂｌｕｅｔｏｏｔｈの共用アンテナ
１２  第１の通信モジュール
１２Ｂ  フルセグメントチューナ
１２Ｄ  無線ＬＡＮ／Ｂｌｕｅｔｏｏｔｈの共用モジュール
１３  永久磁石
１４  接点
１５  整合部
１６  第１の表示部
１７  チューナ切替部
１８  容量結合部
２０  第２の端末
２１  第２のアンテナ
２１Ｄ  Ｂｌｕｅｔｏｏｔｈアンテナ
２２  第２の通信モジュール
２２Ｂ  １セグメント（ワンセグ）チューナ
２２Ｄ  Ｂｌｕｅｔｏｏｔｈモジュール
２３  第１の信号切替部
２４  装着検出部
２５  接点
２６  整合部
２７  第２の表示部
２８  第２の信号切替部
３０  装着部
【図１】
2011114840.tif 000003
【図２】
2011114840.tif 000004
【図３】
2011114840.tif 000005
【図４】
2011114840.tif 000006
【図５】
2011114840.tif 000007